(57)【要約】      （修正有）【課題】スリット光とバックライトの調整を容易に行うことができる細隙灯顕微鏡を提供する。【解決手段】スリット光を照射する細隙灯３２と、細隙灯３２から照射されたスリット光を反射させて被検者眼に照射する反射鏡又はプリズムを有するミラーユニット３４と、被検者眼を観察するための顕微鏡ユニット３８と、スリット光の背景を照射するためのバックライトを被検者眼に照射させるバックライト用光源４６とを具備し、ミラーユニット３４にバックライト用光源４６が設けられている。【選択図】図１
2014147476.tif 000002
【特許請求の範囲】
【請求項１】
スリット光を照射する細隙灯と、
該細隙灯から照射されたスリット光を反射させて被検者眼に照射する反射鏡又はプリズムを有するミラーユニットと、
被検者眼を観察するための顕微鏡ユニットと、
スリット光の背景を照射するためのバックライトを被検者眼に照射させるバックライト用光源とを具備し、
前記ミラーユニットに前記バックライト用光源が設けられていることを特徴とする細隙灯顕微鏡。
【請求項２】
前記ミラーユニットの反射鏡又はプリズムの下部に、バックライト用光源が配置されていることを特徴とする請求項１記載の細隙灯顕微鏡。
【請求項３】
前記ミラーユニットの反射鏡又はプリズムの上部に、バックライト用光源が配置されていることを特徴とする請求項１記載の細隙灯顕微鏡。
【請求項４】
前記ミラーユニットの外壁は金属製であって、バックライト用光源で生じた熱を前記ミラーユニットの外壁を通して放熱可能であることを特徴とする請求項１〜請求項３のうちのいずれか１項記載の細隙灯顕微鏡。
【発明の詳細な説明】
【技術分野】
【０００１】
本発明は、被検者眼を細隙灯により観察するための細隙灯顕微鏡に関する。
【背景技術】
【０００２】
細隙灯顕微鏡は、眼科において被検者眼（前眼部等）を観察するために用いられる装置である。細隙灯顕微鏡は、スリットランプマイクロスコープとも称される。
【０００３】
従来の細隙灯顕微鏡について説明する。
細隙灯顕微鏡は、スリット光（細隙光）を被検者眼に斜め方向から照射して透明又は半透明の組織を可視化して観察できるように設けられており、スリット光を照射するためのスリット光光学系と、顕微鏡ユニットとを具備している。
【０００４】
また、スリット光だけを被検者眼に照射すると、眼球のいずれの箇所にスリット光が照射されているかが分からなくなる場合もある。また、この状態でカメラ撮影をするとスリットに焦点が合ってしまうという問題もある。このため、細隙灯顕微鏡においては、スリット光の背景を照射するためのバックライトを設けることが行われてきた。
【０００５】
特許文献１には、バックライトの光源としてＬＥＤを用い、このＬＥＤが配置された補助照明ユニットをフレキシブルアームの先端に取り付けることが開示されている。
この構成では、フレキシブルアームを被検者の顔を支持する顔支持部に取り付けており、被検者眼の上方からバックライトを照射するようにしている。
【先行技術文献】
【特許文献】
【０００６】
【特許文献１】特開２０１１−１７７２７３号公報
【発明の概要】
【発明が解決しようとする課題】
【０００７】
上述した特許文献１のように、従来の細隙灯顕微鏡では、スリット光を照射するスリット光光学系と、バックライト用の補助照明ユニットは全く別の構成として設けられている。
しかし、このような従来の構成では、被検者眼にスリット光及びバックライトのそれぞれを照射させる際に、被検者眼への照射位置の調整をそれぞれ別個に行わなくてはならず、調整に手間がかかるという課題がある。
【０００８】
そこで本発明は上記課題を解決すべくなされ、その目的とするところは、スリット光とバックライトの調整を容易に行うことができる細隙灯顕微鏡を提供することにある。
【課題を解決するための手段】
【０００９】
本発明にかかる細隙灯顕微鏡によれば、スリット光を照射する細隙灯と、該細隙灯から照射されたスリット光を反射させて被検者眼に照射する反射鏡又はプリズムを有するミラーユニットと、被検者眼を観察するための顕微鏡ユニットと、スリット光の背景を照射するためのバックライトを被検者眼に照射させるバックライト用光源とを具備し、前記ミラーユニットに前記バックライト用光源が設けられていることを特徴としている。
この構成を採用することによって、ミラーユニットと同時にバックライトの角度調整と位置調整等も行えることとなるので、それぞれ別個に調整を行う場合よりも手間を省くことができる。
【００１０】
また、前記ミラーユニットの反射鏡又はプリズムの下部に、バックライト用光源が配置されていることを特徴としてもよい。
この構成によれば、被検者眼にはスリット光の下方からバックライトが照射されるので、被検者のまぶしさを低減させることができる。
【００１１】
また、前記ミラーユニットの反射鏡又はプリズムの上部に、バックライト用光源が配置されていることを特徴としてもよい。
【００１２】
さらに、前記ミラーユニットの外壁は金属製であって、バックライト用光源で生じた熱を前記ミラーユニットの外壁を通して放熱可能であることを特徴としてもよい。
この構成によれば、バックライト用光源で生じた熱の放熱が十分に行えるので、別途放熱用の構成を備えることがない。
【発明の効果】
【００１３】
本発明によれば、スリット光とバックライトの調整を容易に行うことができる。
【図面の簡単な説明】
【００１４】
【図１】第１の実施形態の細隙灯顕微鏡の全体構成を示す側面図である。
【図２】第１の実施形態の細隙灯顕微鏡を被検者側からみた全体構成を示す正面図である。
【図３】第１の実施形態のミラーユニットを被検者からみて左側から見た側面図である。
【図４】第１の実施形態のミラーユニットを被検者から見て右側から見た側面図である。
【図５】第１の実施形態のミラーユニットを被検者側から見た正面図である。
【図６】第１の実施形態のミラーユニットを被検者から見て左側から見た内部構造を示している。
【図７】第２の実施形態の細隙灯顕微鏡の全体構成を示す側面図である。
【図８】第２の実施形態の細隙灯顕微鏡を被検者側からみた全体構成を示す正面図である。
【図９】第２の実施形態のミラーユニットを被検者からみて左側から見た側面図である。
【発明を実施するための形態】
【００１５】
（第１の実施形態）
本実施形態にかかる細隙灯顕微鏡３０の全体構成を図１及び図２に示す。
細隙灯顕微鏡３０は、スリット光を照射する細隙灯３２と、細隙灯から照射されたスリット光を被検者眼方向に反射させるミラーユニット３４とを具備している。
【００１６】
本実施形態では、細隙灯３２は下方に向けてスリット光を照射するように設けられており、ミラーユニット３４は細隙灯３２の下方に設けられている。なお、細隙灯３２の内部構成については周知の構成を採用することができるので、ここでは詳述しない。
【００１７】
細隙灯３２とミラーユニット３４は、連結アーム３９によって連結されている。
また、スリット光の背景を照射するバックライト用光源４６は、ミラーユニット３４と一体に設けられている。
【００１８】
また、細隙灯顕微鏡３０には、被検者が顎を乗せる顎受け部３６が設けられている。顎受け部３６は、上下方向に延びる２本の支持アーム３７の間に設けられている。
顎受け部３６に顎を乗せた被検者の被検眼を観察するための顕微鏡３８は、顎受け部３６と対向する位置に設けられている。なお、顕微鏡３８にはカメラ等の撮像装置を設けてもよい。
【００１９】
顕微鏡３８は、支持ベース４０に取り付けられている。また、連結アーム３９によって連結された細隙灯３２とミラーユニット３４も支持ベース４０に取り付けられている。支持ベース４０は、架台４２上において微動可能となるように架台４２上に配置されている。このため、顕微鏡３８と細隙灯３２とミラーユニット３４は、支持ベース４０の微動に伴い架台４２に対して微動可能である。
【００２０】
一方、架台４２に対して、顎受け部３６を有する支持アーム３７は移動せずに固定されている。したがって、支持ベース４０は、被検眼に対して微動させることができ、被検眼に対するスリット光の照射位置を調整することができる。
また、支持ベース４０の微動は、ジョイスティック４４を操作することによって実行することができる。
【００２１】
次に、ミラーユニットの構成について、図３〜図６に基づいて詳細に説明する。図３は被検者からみて左側からミラーユニットを見た側面図を示し、図４は被検者から見て右側からミラーユニットを見た側面図を示している。また、図５は、被検者側から見たミラーユニットの正面図を示し、図６では被検者から見て左側から見たミラーユニットの内部構造を示している。
【００２２】
ミラーユニット３４は、反射面が被検者眼方向に向く反射鏡４８を有している。反射鏡４８は、細隙灯３２が下方に向けて照射するスリット光を被検者眼に照射させるように、鉛直下向きに延びるスリット光に対して４５°の角度を有している。
【００２３】
また、ミラーユニット３４にはバックライト用光源４６が設けられており、スリット光と同様に被検者眼の方向にバックライトを照射している。
本実施形態では、反射鏡４８の下方側にバックライト用光源４６を設けている。そして、バックライト用光源４６から照射されるバックライトは、水平面に対して２８°下方から被検者眼に照射されている。
このような角度で下方から被検者眼にバックライトを照射することによって、被検者がバックライトをまぶしく感じないようにすることができる。
【００２４】
ミラーユニット３４は、２本の連結アーム３９の間に配置された取付部材５１に取り付けられている。取付部材５１は、その上端部がミラーユニット３４に取り付けられ、下端部が連結部材５０に取り付けられている。連結部材５０は、２本の連結アーム３９の間に、水平方向に架け渡された部材である。
【００２５】
連結部材５０は、水平方向に延びる回動軸（図示せず）を介して、２本の連結アーム３９の間に取り付けられているので、回動軸を中心に水平方向を軸線として回動可能に設けられている（図３の矢印Ａ）。連結部材５０を水平方向に回動させることで、連結部材５０の上部に取り付けられているミラーユニット３４の上下方向の角度調整をすることができる。
【００２６】
また、取付部材５１は、上端部５１ａが円柱状に形成されており、この上端部５１ａがミラーユニット３４に挿入されている。ミラーユニット３４は、取付部材５１の円柱状の上端部を中心に鉛直方向を軸線として回動可能に設けられている。ミラーユニット３４を、鉛直方向を軸線として回動させることで、ミラーユニット３４の左右方向の角度調整をすることができる。
【００２７】
上記の構成により、ミラーユニット３４は、上下方向の角度及び左右方向の角度調整が可能となっているが、ミラーユニット３４には反射鏡４８とバックライト用光源４６とを備えているので、ミラーユニット３４の角度調整により、反射鏡４８で反射されるスリット光の角度調整と、バックライトの角度調整を同時に行うことができる。すなわち、スリット光の角度調整とバックライトの角度調整を別個に行わなくてもよいので、操作時の手間を省くことができ、操作を容易にすることができる。
【００２８】
次に、ミラーユニット３４の内部構造について説明する。
ミラーユニット３４は、金属製の筐体５３に、反射鏡４８とバックライト用光源４６がそれぞれ組み込まれている。
金属製の筐体５３は、取付部材５１の上端部５１ａを挿入させる挿入穴５４が形成された基部５３ａと、反射鏡４８とバックライト用光源４６が取り付けられた本体部５３ｂとを有している。
【００２９】
筐体５３の基部５３ａには、筐体外部から取付部材５１の上端部５１ａを締め付け可能な固定ピン６９が設けられている。固定ピン６９の先端部は、取付部材５１の上端部５１ａに当接しており、固定ピン６９を締め付けることで、筐体５３の左右方向の向きを固定することができる。
【００３０】
筐体５３の本体部５３ｂには、反射鏡４８を取り付けるために反射鏡４８の幅方向端部を挟み込んで固定するスライド保持部５５が設けられている。スライド保持部５５は、反射鏡４８の厚さとほぼ同程度の溝部５６が形成されている。この溝部５６に反射鏡４８をスライドさせて挟み込み、固定する。
また、スライド保持部５５の中央であって、固定する反射鏡４８の背面側には、反射鏡４８の背面を押圧する方向に付勢するばね部材５８が設けられている。ばね部材５８によって、反射鏡４８は背面側から押圧され、スライド保持部５５においてがたつきなく固定される。
【００３１】
筐体５３の本体部５３ｂのスライド保持部５５よりも下側には、バックライト用光源４６を取り付けるための取付部５９が形成されている。また、本実施形態では、バックライト用光源４６は、ＬＥＤ６０が配置されたＬＥＤ基板６２と、複数のレンズを有するレンズユニット６４とを有している。ＬＥＤ６０がバックライト光源である。
筐体５３の本体部５３ｂには、背面側から表面側に向けて凹んだ凹部６６が形成されている。この凹部６６にＬＥＤ基板６２が背面側から取り付けられる。
【００３２】
また、筐体５３の本体部５３ｂには、凹部６６と表面側とを連通する連通孔６８が形成されている。連通孔６８内には、レンズユニット６４が挿入される。レンズユニット６４は、筒状部材７０内部に複数枚のレンズ７２が組み合わされて配置されている。
筒状部材７０の側面には、溝部７４が形成されている。溝部７４には、筐体５３の外部から締め付け可能な固定ピン７８の先端部が当接するように形成されている。筒状部材７０は、固定ピン７８を締め付けることによって連通孔６８内で固定される。
【００３３】
ＬＥＤ基板６２のＬＥＤ６０が照射する光が、複数枚のレンズ７２を通して筐体５３の表面側から照射されることによって、被検者眼にバックライトとして照射される。
【００３４】
このように、バックライト用光源４６を、反射鏡４８が取り付けられた筐体５３内に内臓したことにより、ＬＥＤ基板６２からの発熱を金属製の筐体５３に伝導させて、筐体５３の外壁から放熱させることができる。このため、従来であれば、バックライトの放熱について考慮しなくてはならなかったところ、容易に放熱させることができるようになった。
【００３５】
（第２の実施形態）
次に、細隙灯顕微鏡の第２の実施形態について図７〜図９に基づいて説明する。なお、上述した第１の実施形態と同一の構成要素については同一の符号を付し、説明を省略する場合もある。
【００３６】
本実施形態の細隙灯顕微鏡３０は、ミラーユニット８０の下方に細隙灯８２が配置され、ミラーユニット８０では下方から上方に向けてきたスリット光を水平方向に反射させている。
【００３７】
細隙灯８２は、水平方向に向けてスリット光を照射している。細隙灯８２は、鉛直方向に延びる筒状の保持アーム８４に取り付けられている。保持アーム８４内部にはプリズム又は反射鏡（図示せず）が配置されており、細隙灯８２から照射されたスリット光は、保持アーム８４内のプリズム又は反射鏡によって鉛直上向きに光路が変更される。
【００３８】
保持アーム８４の上端部に、ミラーユニット８０が取り付けられている。ミラーユニット８０には、プリズム８６が設けられている。プリズム８６はスリット光を被検者眼に照射すべく、鉛直上向きに照射されてきたスリット光を水平方向に反射させる。なお、被検者眼にスリット光を照射させるためには、プリズムではなく反射鏡であってもよい。
【００３９】
ミラーユニット８０は、スリット光を反射させるプリズム８６の他に、バックライト用光源９０が設けられている。バックライト用光源９０は、スリット光と同様に、被検者眼の方向にバックライトを照射している。
本実施形態においては、プリズム８６の上方側にバックライト用光源９０を設けている。バックライト用光源９０から照射されるバックライトは、水平面に対して２８°上方から被検者眼に照射されている。
【００４０】
次に、ミラーユニット８０の詳細な構成を図９に基づいて説明する。
ミラーユニット８０は、金属製の筐体９２の内部にプリズム８６が収納されている。筐体９２は、その下部が筒状に形成されている。筐体９２は、保持アーム８４の上端部に、筒状の下部を被せることで保持アーム８４に配置させることができる。
【００４１】
筐体９２の被検者側の面にはプリズム８６が露出するように開口部９４が形成されている。開口部９４から、プリズム８６によって反射されたスリット光が被検者眼へ向けて照射される。
なお、本実施形態のように、筒状の保持アーム８４の上部でスリット光を反射させる場合、保持アーム８４内に埃等が進入しないように、反射鏡よりも平面的な面積が大きいプリズムを用いることが好ましい。
【００４２】
筐体９２の開口部９４の上部には、バックライト用光源９０が設けられており、開口部９４からバックライトが被検者眼へ向けて照射される。
バックライト用光源９０は、ＬＥＤ９５が配置されたＬＥＤ基板９６と、複数のレンズを有するレンズユニット９８とを有している。ＬＥＤ９５がバックライト光源である。レンズユニット９８は、複数枚のレンズ９９が組み合わされて構成されている。
また、ＬＥＤ基板９６の背面が、筐体９２の背面側（被検者からみて背面側）の内壁面９２ａに取り付けられ、バックライト用光源９０が筐体９２内に内蔵される。
【００４３】
このように、バックライト用光源９０を、筐体９２内に内臓したことにより、ＬＥＤ基板９６からの発熱を金属製の筐体９２に伝導させて、筐体９２の外壁から放熱させることができる。このため、従来であれば、バックライトの放熱について考慮しなくてはならなかったところ、容易に放熱させることができるようになった。
【００４４】
さらに、筐体９２の背面側（被検者からみて背面側）には、バックライト用光源９０からの配線をミラーユニットから外部へ出すための配線孔１００が形成されている。配線孔１００は、上下方向に沿って形成されており、バックライト用光源９０に接続された配線を保持アーム８４に沿わせることができる。また、配線を被検者からみた背面側で保持アーム８４に沿わせることにより、見た目にすっきりとした装置とすることができる。
【００４５】
（他の実施形態）
なお、上述した第１の実施形態では、反射鏡の下方にバックライト用光源を配置したミラーユニットについて説明し、第２の実施形態ではプリズムの上方にバックライト用光源を配置したミラーユニットについて説明した。
しかし、本発明としては反射鏡又はプリズムとバックライト用光源とがミラーユニットに設けられていればよく、反射鏡又はプリズムと、バックライト用光源の位置関係は上述した構成に限定するものではない。
【００４６】
例えば、反射鏡を半透明ミラーとし、ミラーユニット内部においてバックライト用光源を設けてもよい。この構成によれば、ミラーユニット内部で照射されたバックライトが半透明の反射鏡を通過して被検者眼に照射され、上方から照射されたスリット光は反射鏡で反射して被検者眼に照射される。
【００４７】
また、バックライト用光源のバックライト光源としてはＬＥＤに限定するものではなく、他の光源を採用してもよい。
【符号の説明】
【００４８】
３０   細隙灯顕微鏡
３２   細隙灯
３４   ミラーユニット
３６   顎受け部
３７   支持アーム
３８   顕微鏡
３９   連結アーム
４０   支持ベース
４２   架台
４４   ジョイスティック
４６   バックライト用光源
４８   反射鏡
５０   連結部材
５１   取付部材
５３   筐体
５３ａ 基部
５３ｂ 本体部
５４   挿入穴
５５   スライド保持部
５６   溝部
５８   ばね部材
５９   取付部
６０   ＬＥＤ
６２   ＬＥＤ基板
６４   レンズユニット
６６   凹部
６８   連通孔
６９   固定ピン
７０   筒状部材
７２   レンズ
７４   溝部
７８   固定ピン
８０   ミラーユニット
８２   細隙灯
８４   保持アーム
８６   プリズム
９０   バックライト用光源
９２   筐体
９２ａ 内壁面
９４   開口部
９５    ＬＥＤ
９６   ＬＥＤ基板
９８   レンズユニット
９９   レンズ
１００ 配線孔
【図１】
2014147476.tif 000003
【図２】
2014147476.tif 000004
【図３】
2014147476.tif 000005
【図４】
2014147476.tif 000006
【図５】
2014147476.tif 000007
【図６】
2014147476.tif 000008
【図７】
2014147476.tif 000009
【図８】
2014147476.tif 000010
【図９】
2014147476.tif 000011